(57)【特許請求の範囲】
【請求項１】
前方に着色系のインキを充填した複数の筆記体を収納して、夫々の筆記先端部を選択的に軸先から出没可能とすると共に後端に筆記描線を消色可能とする塗布液が充填されて成る塗布体を備えた複式筆記具に於いて、
当該複式筆記具は、先軸と後軸との間に設けられた中軸と、この中軸に一端が係止されて上記筆記体を夫々後方に付勢するリターンスプリングと、筆記体の後部に取り付けられてリターンスプリングによって夫々後方に付勢される摺動コマと、摺動コマの何れかの後端を押圧して筆記体を選択的に前進させるカム斜面を前面に備え中軸と係合して回転可能とされる係合部を備えて成る円筒カムとを有し、上記中軸の内周部と夫々摺動コマの側面との間にリブと溝が形成され、そのリブと溝が夫々噛み合うことにより、夫々摺動コマが円滑に前後動可能となり、又、円筒カムの後方に接続して上記塗布体の出没機構が設けられて成ることを特徴とする複式筆記具。
【請求項２】
円筒カムの後方に軸方向後端に至りスリットが形成された筒部と、該筒部に回転可能に外装されると共に内面に螺旋溝が形成された内筒と、前記筒部内に嵌挿されてスリットから貫出すると共に、内筒の螺旋溝と係合する突起を備えて、内筒の回転に伴いスリットに沿って軸方向に摺動可能な塗布体又は塗布体と連動する前記突起を備えた摺動体とから構成されて成る請求項１に記載の複式筆記具。
【請求項３】
円筒カムの後部内周に螺旋溝が形成され、この円筒カムと回転可能に嵌合され、且つ、軸方向にスリットが形成された内筒と、この内筒内に設けられて円筒カムの螺旋溝と係合する突起を備え、且つ、内筒の回転に伴いスリットに沿って軸方向に摺動可能な塗布体又は塗布体と連動する前記突起を備えた摺動体とから構成されて成る請求項１に記載の複式筆記具。
【発明の詳細な説明】
【０００１】
【産業上の利用分野】
本発明は、筆記具の前方部に複数の着色系のインキが充填されて成る筆記体と、筆記具の後方部に筆記体による筆記描線に塗布することで消色可能とする塗布液が充填されて成る塗布体が、夫々配設されて成る複式筆記具に関する。
【０００２】
【従来の技術】
筆記描線を消す手段として、例えば、塩基性染料からなる着色系のインキを充填した筆記体と、アルカリを添加した亜硫酸塩等からなる消色系の塗布液を充填した塗布体との組み合わせで、容易に還元分解されて筆記描線が消色されるようにした筆記具セットがサインペン、マーカー、ボールペン等で知られている。
又、顕色化合物と反応して発色するインキ系と、水の塗布で顕色化合物の効果が喪失することで消色されるようにしたものも知られている。
【０００３】
一般の水性ボールペンは、粘度が数ｍＰａ・Ｓ以下の低粘性であるため、軽い筆記圧で書けることが利点であり、書き味が良好である特徴がある。しかしながら、インキがペン先からだらだらと流れ出る直流現象や、反対にボールペンの先から空気が流入してインキが流出する逆流現象などが起こり易い欠点がある。これらの防止策として、１つは中綿と称する繊維の収束体などを用いる方法がとられている。又、キャップオフの状態で放置すると、溶媒の蒸気圧が高く、溶媒がれのため、先端が乾燥してインキが流出しなくなり、書けなくなってしまうという問題がある。
【０００４】
最近、上記の水性と油性との中間粘度領域（数ｍＰａ・Ｓ〜数千ｍＰａ・Ｓ）の水性インキを用いた上記中綿を使用しない水性ボールペンが開発されている。このものは、先端ボールの回転によって粘度が低下してインキがスムーズに流出する特性、所謂剪断減粘性を有する相対的に低粘性の水性のインキを用いたボールペンである。しかしながら、このものもインキが乾燥しやすい欠点があるために通常は筆記先端部をシールするキャップが必要である。
又、インキの粘度が低いために、インキが逆流や直流しやすい現象があり、インキの逆流や直流を起こすと衣類などを汚す危険がある。又、落下やノック衝撃で筆記掠れが生じやすい欠点がある。
これらの防止策として、１つはインキの後端にフォロアと称されるグリース状の半透明不乾性物質が充填される。又、インキ蒸発防止の問題はペン先、即ち先端ボールとチップの間隙からの蒸発低減化を考えればよい。
【０００５】
又、水性ボールペンはインキの流出量が多く、筆記寿命を延ばすためにインキ収容管の径を太くしてインキの充填量を多くする必要がある。特に、上記中綿を使用するものは更に太く考えなければならない。
【０００６】
又、シャープペンシル及びボールペン等の複数の筆記体を搭載して、軸先から選択的にその筆記先端部を出没可能とした複式筆記具が知られている。
又、複式筆記具の筆記先端部の出没機構としては、
ノック式のもの、筆記具の軸筒側面から貫出したスライダーを交互に摺動させるスライダー式のもの、傾斜面を備えたカム筒を回転させて行うカム式のもの等種々知られている。
又、水性ボールペンはインキ収容管が太くなるために通常の太さの複式筆記具に搭載した場合、筆記体間の自由度がなく突出する筆記体の先端部が軸筒の先端孔にスムーズに求心されず、作動が阻害されて筆記先端部の出没が不可となる。
従って、作動を可能とするために軸筒が極端に太くなって、携帯性、使い勝手が悪くなる欠点がある。
【０００７】
【発明が解決しようとする課題】
本発明の目的は、上記従来技術の利用と、従来技術の問題点を解決し、筆記具の前方部に複数の着色系のインキが充填されて成る筆記体と、筆記具の後方部に筆記体による筆記描線に塗布することで消色可能とする塗布液が充填されて成る塗布体が、夫々配設されて成る便利な複式筆記具を提供可能とする。
又、本発明に係わる筆記体、塗布体も上述した水性ボールペン等と同様の問題点が存在し、
インキ充填量の多い大形の筆記体を搭載しても軸筒が極端に太くならない携帯性、使い勝手に優れた複式筆記具を提供すること。
インキの逆流、直流現象が生じず、ペン先の耐乾燥性が維持されてキャップを外して放置することが可能となるなどが課題である。
【０００８】
【課題を解決するための手段】
本発明の複式筆記具は、筆記具の前方に複数の筆記体を収納して、夫々の筆記先端部を選択的に軸先から出没可能とすると共に筆記具の後端に塗布体を備えた複式筆記具に於いて、前記筆記体は着色系のインキが充填されて成り、前記塗布体は前記筆記体による筆記描線を塗布することで消色可能とする塗布液が充填されて成ることを特徴とする。
【０００９】
又、筆記体は、インキ収容管のインキ収容部が比較的大きな断面積を有した非変形のものであって、筆記先端部とインキ収容部を接続する部位が軸長方向に対する横方向に容易に変移可能と成されて、筆記先端部が容易に求心されて軸先孔から出没可能となる。
又、筆記体及び塗布体の先端部がキャップによるシールを必要としない構造のボールペン体である。
又、筆記体は、先端ボールがチップ先端のボール抱持部の内縁に常時には押圧して密接し、筆記時又は塗布時に密接状態が解除されるように設けられたスプリングを有する。
又、筆記体は、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る。
又、上記塗布体の塗布部は、先端ボールがチップ先端のボール抱持部の内縁に常時は押圧して密接し、塗布時に密接状態が解除されるように設けられたスプリングを有し、且つ、塗布部が筆記具の後端孔から出没可能に設けられて成る。
【００１０】
又、上記複式筆記具は、先軸と後軸との間に設けられた中軸と、この中軸に一端が係止されて上記筆記体を夫々後方に付勢するリターンスプリングと、筆記体の後部に取り付けられてリターンスプリングによって夫々後方に付勢される摺動コマと、摺動コマの何れかの後端を押圧して筆記体を選択的に前進させるカム斜面を前面に有し、中軸と係合して先軸方向に摺動されると共に回転可能とされる係合部を備えて成る円筒カムと、該円筒カムの後方に接続して上記塗布体の出没機構が設けられて成る。
【００１１】
又、上記円筒カムの後方に軸方向後端に至りスリットが形成された筒部と、該筒部に回転可能に外装されると共に内面に螺旋溝が形成された内筒と、前記筒部内に嵌挿されてスリットから貫出すると共に、内筒の螺旋溝と係合する突起を備えて、内筒の回転に伴いスリットに沿って軸方向に摺動可能な塗布体又は塗布体と連動する前記突起を備えた摺動体とから構成されて成る。
又、上記円筒カムの後部内周に螺旋溝が形成され、この円筒カムと回転可能に嵌合され、且つ、軸方向にスリットが形成された内筒と、この内筒内に設けられて円筒カムの螺旋溝と係合する突起を備え、且つ、内筒の回転に伴いスリットに沿って軸方向に摺動可能な塗布体又は塗布体と連動する前記突起を備えた摺動体とから構成されて成る。
【００１２】
【実施例】
先ず、図１乃至図４は本発明の第１の実施例を示している。図１に於いて、２本のボールペン筆記体１ａ，１ｂが設けられている。尚、後述するが本図に示す実施例の形態は塗布液で消色するボールペンインキが充填されたボールペン筆記体が搭載されたものを示している。又、実施例の複式筆記具は前部に筆記具機能を備え、後部に塗布体の出没機構を備えている。
【００１３】
実施例の複式筆記具は、前部に位置した筆記体とその出没機構を収納する先軸５６及び中軸３０と、後部に位置した塗布体４９とその出没機構を収納した後軸５１とからなる。又、先軸５６の後部内周には雌螺子５７が形成されている。又、後軸５１の後端には塗布体４９が出没する開口部が設けられている。
又、中軸３０先部には雄螺子３２が形成され、前記先軸５６の雌螺子５７と螺合されて、必要に応じて取り外されて筆記体の交換を行う。
又、中軸３０の後端に後述する円筒カムの外周に設けたリブを当接させて回転位置規制をする周上切欠状のストッパーが形成されている。（図示せず）
又、上記中軸３０の後部側面に窓部３３が穿設されると共に中軸３０の内周部に９０度間隔に於いて軸方向に形成された４本のガイド用のリブ３１が形成されている。
【００１４】
又、中軸３０の前部には上記ボールペン筆記体１ａ，１ｂを後方に付勢するリターンスプリング５５ａ，５５ｂの前端が係止されている。そして、摺動コマ４１ａ，４１ｂに前方に向かって受け軸４３ａ，４３ｂがリターンスプリング５５ａ，５５ｂの内孔を貫通して固着され、該受け軸４３ａ，４３ｂの前端にボールペン筆記体１ａ，１ｂの後部が取り付けられ、リターンスプリング５５ａ，５５ｂの後端が摺動コマ４１ａ，４１ｂの前方に係止されて夫々後方に付勢される。又、前記摺動コマ４１ａ，４１ｂは後述する円筒カム３４の回転に伴うカム斜面３５の押圧で前進するカム面とその後端に円筒カムのカム斜面の前端に設けられた切欠３６と係合する突起４２ａ，４２ｂを有している。
【００１５】
又、上記摺動コマ４１ａ，４１ｂの側面に設けた溝５４ａ，５４ｂが上記中軸３０の内部に設けたガイド用のリブ３１と夫々噛み合うことにより、摺動コマ４１ａ，４１ｂを円滑に前後動させる。また摺動コマ４１ａ，４１ｂの横断面形状は略Ｄ形を成している。従って、従来例でよく示される、相対向する２つのガイド溝を有したガイド筒を取付ける複雑な構成を必要としない利点がある。
【００１６】
次に、円筒カム３４は、上記中軸３０と係合して回転可能とされるリング状の係合突起３７をその外周に備えている。中軸３０は後部に対向する一対の厚肉部３３ａを有して窓部３３が穿設されているので、中軸３０内に円筒カム３４の先部を圧入するとリング状の係合突起３７が挿入に際して厚肉部３３ａを押し開き窓部３３内に嵌入して円筒カム３４は回転可能に抜け止めされる。
【００１７】
又、上記係合突起３７の後方で円筒カム３４の外周所要箇所に係合溝部３８が設けられ、更に後方に延設した筒部に軸方向後端に至りスリット３９が形成されている。
又、円筒カム３４の外周に後軸５１が嵌装され、該後軸５１の内面に形成された突条５２が前記円筒カムの係合溝部３８に係合して円筒カム３４と後軸５１が一体に固着される。
【００１８】
一方、塗布体４９は塗布先端部４９ａと塗布液が充填された筒部からなり、筒部外周の所要位置に突起５０が形成されている。塗布体４９は突起５０を上記スリット３９に嵌入した状態で円筒カム３４後方の筒部内に嵌挿される。
又、内面に螺旋溝４７が形成された内筒４５が円筒カム後方の筒部に回転可能に外装される状態で後軸５１の後端から嵌挿され、前記スリット３９から貫出した塗布体の突起５０が螺旋溝４７に係合して、内筒４５後端の天冠４６が後軸５１後端に略当接され、又、後軸の後端口内面に形成された突条５３が内筒４５の外周に形成された周状の凹溝４５ａに係合して、内筒４５は後軸５１及び円筒カム３４に対し回転のみ可能に止着される。
【００１９】
以上で、上記後軸５１に対し内筒の天冠４６を回転すると、上記塗布体の突起５０がスリット３９に沿って摺動する。
ところで、円筒カム後方筒部の後端部４０は適宜斜面を有し、又、それと迎合する内筒の当接部４８も斜面となされ、スリットを有した筒部後端が内方に縮径するのを防止する。
又、実施例は塗布体４９に直接突起５０を設けているが、突起を備えた別の摺動体を塗布体と連動するように設けることも可能である。
【００２０】
次に、本発明の複式筆記具に搭載されるボールペン筆記体１ａに付いて説明する。尚、ボールペン筆記体１ａと１ｂは同じ構成であり、例えば、インキ色などが異なるものである。
又、ボールペン筆記体に適用されるインキは、筆記描線を消す手段として、例えば、塩基性染料からなる着色系のインキとアルカリを添加した亜硫酸塩等からなる消色系の塗布液との組み合わせで、容易に還元分解されて筆記描線が消色されるように成されたインキである。
或いは、顕色化合物と反応して発色するインキ系と、水の塗布で顕色化合物の効果が喪失することで消色されるように成されたインキである。
【００２１】
図４に示すようにチップ１１は、インキ流入可能なチャンネルを有した座に先端ボール１２が略当接した状態で、先端ボール１２が回転自在に抱持されるようカシメられている。又、チップ１１の内孔部にスプリング１４が内挿され、スプリング１４の後端が抜出不能となるようにチップの軸部１３の後端を適宜カシメている。又、先端ボール１２がチップ抱持部の内面に密接することは筆記先端の乾燥、インキの直流防止に対し極めて重要であって、そのために先端ボールを抱持するチップ内面の表面粗さ、カシメによる密接精度を改善する為に内面の研削仕上げ、カシメ精度を上げる為の二次的な塑性加工が配慮される。又、先端ボールとの密接面に表面処理などが配慮される。
【００２２】
又、スプリング１４の先方は直立状の棒軸部１５となり、当該棒軸部１５の先端が先端ボール１２の後端に押圧状態で当接する。尚、先端ボール１２はその押圧によってチップ１１のボール抱持部（カシメなどで形成）の内縁に密接状態となる。
【００２３】
又、塗布体４９は先端ボール４９ｂを有した塗布先端部４９ａを備えている。
その基本的な構成は上記のチップ１１と同じである。
【００２４】
又、継ぎ手２は先端にチップ１１の軸部１３を圧着する前軸部３とインキ収容管１７の前端に圧着される後軸部５が形成され、前記前軸部３と後軸部５との間がフレキシブルな、例えば蛇腹４などで一体に接続された樹脂成形品で形成される。又、前軸部３の内孔部後方にはボール弁１６が遊嵌している弁室７があり、弁室７の後方にはテーパー状又は球面状のボール受け座８と軸心に適宜偏心して設けられた導孔９とが設けられ、前記蛇腹４、後軸部５の内孔がインキ収容管１７の内孔に連通している。又、弁室７の内壁の一側には軸方向にインキが流れるように溝部を設けている。（図示せず）この弁室７内の遊嵌しているボール弁１６は、チップ１１を下向きにした状態では、チップの軸部１３の後端に偏った状態に接してインキ流路を形成し、インキ収容管のインキは導孔９を通り前記溝部、前記インキ流路をなどを通じてチップ内孔部に流入する。逆に上向きの状態ではボール弁１６がボール受け座８に当接してインキの逆流を防止する機能が得られる。
【００２５】
又、インキ収容管１７内には上記ボールペンのインキ１８が充填され、更に、このインキ１８の後端にインキの消耗と共にインキ面に接触して追随して移動可能なグリース状の半透明不乾性物から成るフォロア１９が充填される。又、落下やノック衝撃等による変形を防止するために必要に応じてフォロア１９内にフォロアと略同等の比重を有する樹脂製のフォロア棒２０が浸漬される。
尚、上記インキ収容管１７は一例として透明ＰＰ樹脂成形品等が使用される。又、インキ収容管をクリアドレン性に優れた材質で選定する。又、インキ収容管１７は継ぎ手２と一体に形成されてもよい。
【００２６】
又、上記塗布体４９の場合には、上記ボールペン筆記体に対し全長が遙に短く、且つ、大径となるのでインキ充填部には中綿が用いられる。
尚、インキを直接充填して後端にフォロアを設けることも可能である。又、その場合、インキ収容管の後端には通気孔を有した尾栓等が止着される。（図示せず）又、ボールペン筆記体もインキ収容管の寸法に余裕があれば中綿を使用することも可能である。
【００２７】
又、インキ収容管１７のインキ収容部は比較的大きな断面積を有した非変形のものであって、実施例では中軸３０内に無駄なく嵌挿する略Ｄ形の断面形状を有している。尚、上記チップ１１とインキ収容部を接続する部位が軸長方向に対する横方向に容易に変移可能と成される。
又、チップ１１後端を圧着する継ぎ手とインキ収容管との間にフレキシブルなチューブを接続して構成することも可能である。
【００２８】
尚、上記実施例に於いては、２本の筆記体の場合を説明したが３本も可能である。
【００２９】
又、図５は本発明の第２の実施例を示している。基本的には第１の実施例と同じであり、塗布体４９｀の出没構造のみ異なるものである。以下、要点のみ説明する。
先ず、円筒カム６１の後方筒部６２内周に螺旋溝６３が形成され、この円筒カム６１と回転可能に止着され、且つ、軸方向にスリット６７が形成された内筒６４と、（内筒６４に設けられた突条６８と筒部６２後端口内周に設けられた周状の凹溝６２ａとの係合によって止着される）この内筒内に設けられて円筒カム６１の螺旋溝６３と係合する突起５０｀を備え、且つ、内筒６４の回転に伴い突起５０｀がスリット６７に沿って軸方向に摺動可能な塗布体４９｀又は塗布体と連動する突起を備えた摺動体（図示せず）とから構成されて成る。
【００３０】
【作用】
中軸３０に対して後軸５１を回転すると円筒カム３４の回転に伴うカム斜面３５によって何れかの筆記体を選択してその筆記先端部を先軸５６の先端口から突出させることが可能となる。又、ボールペン筆記体のインキ収容部が非変形であっても筆記先方部位がフレキシブルに変移するので作動が阻害されず先軸５６の先端口からスムーズに筆記先端部が出没する。
又、内筒４５後端の天冠４６を一方に回転させると塗布体４９が内筒の螺旋溝４７の回転に伴い、円筒カム３４のスリット３９に案内されて摺動し、天冠４６の後端孔から塗布先端部４９ａが突出する。又、天冠４６を反対方向に回転させると塗布先端部４９ａが没入する。
【００３１】
ボールペン筆記体１ａは、チップ１１を上向きにした状態に於いて、そのボール弁１６が弁室７のボール受け座８に位置して導孔９を密閉するので、上向き筆記されてチップの先端ボール１２直下のインクがなくなっても、インキにヘッドが掛かり逆流することがない。従って、チップ１１を下向きにした時にはインキがすぐに流出可能となり、筆記で掠れが防止される。（因みにボール弁を有しない構造では、上向き筆記でインキが逆流方向に作用するのでチップ内に空気を巻き込み、下向き筆記で即インキが追随せず掠れが生じる）
【００３２】
チップ１１を下向きにした筆記状態に於いては、ボール弁１６がチップ１１後端の一方に偏った状態に当接し、他方にはチップ１１内にインキが流入可能な流路が構成され、インキ収容管１７から導孔９を経て弁室７に入ったインキ１８は先端ボール１２の後端まで誘導される。
この状態で、棒軸部１５の押圧で先端ボール１２がチップ抱持部の内縁に密接されるのでインキの直流が防止される。又、筆圧により先端ボール１２が微小に後退するので隙間を生じてインキが流出可能となり、筆記により先端ボール１２の回転でインキがスムーズに流出され、ボテが無く、筆跡濃度の高い筆記が可能となる。
【００３３】
先端ボール１２の直下にはチャンネル（チップ内孔に向かって貫通したインキ流入溝を複数箇所に有した先端ボールの受け座）がありチャンネルの中心孔には棒軸部１５が貫通する。チップ内のインキはインキ流入溝および中心孔と棒軸部１５との間の隙間を通じて先端ボール１２直下に誘導される。
【００３４】
【発明の効果】
本発明の複式筆記具の構成及び作用は以上の如くであり、筆記具の前方部に複数の着色系のインキが充填されて成る筆記体と、筆記具の後方部に筆記体による筆記描線に塗布することで消色可能とする塗布液が充填されて成る塗布体が、夫々配設されて成る便利な複式筆記具が提供可能となる。
又、本発明を達成する問題解決として、
インキ充填量の多い大形の筆記体を搭載しても軸筒が極端に太くならず、携帯性、使い勝手に優れること。
インキの逆流、直流現象が生じず、ペン先の耐乾燥性が維持されてキャップを外して放置できること。
などが可能となる。
【図面の簡単な説明】
【図１】本発明の第１の実施例である複式筆記具の全体を示す縦断面図で、一部非断面で示されている。
【図２】中軸に位置する摺動コマ部位を横断面した図である。
【図３】中軸に位置するボールペン筆記体のインキ収容部位を横断面した図である。
【図４】実施例であるボールペン筆記体の縦断面図である。
【図５】本発明の第２の実施例である複式筆記具の全体を示す縦断面図で、一部非断面で示されている。
【符号の説明】
１ａ  ボールペン筆記体
１ｂ  ボールペン筆記体
２  継ぎ手
３  前軸部
４  蛇腹
５  後軸部
６  鍔部
７  弁室
８  ボール受け座
９  導孔
１０  内孔部
１１  チップ
１２  先端ボール
１３  軸部
１４  スプリング
１５  棒軸部
１６  ボール弁
１７  インキ収容管
１８  インキ
１９  フォロア
２０  フォロア棒
３０  中軸
３１  ガイド用のリブ
３２  雄螺子
３３  窓部
３３ａ  肉厚部
３４  円筒カム
３５  カム斜面
３６  切欠
３７  係合突起
３８  係合溝部
３９  スリット
４０  後端部
４１ａ  摺動コマ
４１ｂ  摺動コマ
４２ａ  突起
４２ｂ  突起
４３ａ  受け軸
４３ｂ  受け軸
４４  段部
４５  内筒
４６  天冠
４７  螺旋溝
４８  当接部
４９  塗布体
４９｀  塗布体
４９ａ  塗布先端部
４９ｂ  先端ボール
５０  突起
５０｀  突起
５１  後軸
５２  突条
５３  突条
５４ａ  溝
５４ｂ  溝
５５ａ  リターンスプリング
５５ｂ  リターンスプリング
５６  先軸
５７  雌螺子
５８  ラバーグリップ
６０  後軸
６１  円筒カム
６２  筒部
６２ａ  凹溝
６３  螺旋溝
６４  内筒
６５  天冠
６６  軸部
６７  スリット
６８  突条
【図１】
0003763425.tif 000002
【図２】
0003763425.tif 000003
【図３】
0003763425.tif 000004
【図４】
0003763425.tif 000005
【図５】
0003763425.tif 000006